(57)【要約】【課題】尿漏れ、及び、悪臭漏れを防止し、着脱作業を衛生的に行い、長時間に渡って良好に装着させることが可能であって、安価に製造することができる雄ペット用尿取り袋、及び、これを用いた尿取り具を提供する。【解決手段】本発明に係る尿取り袋１を構成する第１、第２のシート部１０、２０は、互いに重なって袋状の内部空間１００を構成し且周縁が閉じられている。第２のシート部２０は第１、第２の面領域２１、２２を有し、第１、第２の面領域２１、２２は、一端２１０、２２０が非接合状態で互いに重なり合って泌尿器挿入口２４を構成し、一端２１０、２２０を除く周縁が第１のシート部１０の周縁と連続している。尿取り袋１は支持体３と組み合わされて尿取り具を構成する。支持体３は、泌尿器４０が泌尿器挿入口２４を通じて内部空間１００に案内されている状態で、尿取り袋１を、泌尿器４０の周辺に取り付ける。【選択図】図１
2009254278.tif 000002
【特許請求の範囲】
【請求項１】
第１のシート部と、第２のシート部とを含む雄ペット用尿取り袋であって、
前記第１のシート部及び前記第２のシート部は、互いに重なって袋状の内部空間を構成し、かつ、周縁が閉じられており、
前記第２のシート部は、第１の面領域と、前記第２の面領域とを有しており、
前記第１の面領域及び前記第２の面領域は、一端側が非接合状態で互いに重なり合って泌尿器挿入口を構成し、前記一端側を除く周縁が前記第１のシート部の周縁と連続している、尿取り袋。
【請求項２】
請求項１に記載された雄ペット用尿取り袋であって、さらに貼り付け部を含み、
前記貼り付け部は、前記第１のシート部に配置されている、
尿取り袋。
【請求項３】
雄ペット用尿取り袋と、支持体とを含む尿取り具であって、
前記雄ペット用尿取り袋は、第１のシート部と、第２のシート部とを含み、
前記第１のシート部及び前記第２のシート部は、互いに重なって袋状の内部空間を構成し、かつ、周縁が閉じられており、
前記第２のシート部は、第１の面領域と、前記第２の面領域とを有しており、
前記第１の面領域及び前記第２の面領域は、一端側が非接合状態で互いに重なり合って泌尿器挿入口を構成し、前記一端側を除く周縁が前記第１のシート部の周縁と連続しており、
前記支持体は、雄ペットの泌尿器が前記泌尿器挿入口を通じて前記内部空間に案内されている状態で、前記尿取り袋を、前記泌尿器の周辺に取り付ける、
尿取り具。
【発明の詳細な説明】
【技術分野】
【０００１】
本発明は、雄ペット用尿取り袋、及び、これを用いた尿取り具に関する。
【背景技術】
【０００２】
近年、室内で犬猫などのペットを飼う習慣が定着していることにともない、当該ペットがする排泄物を、より簡単に、より衛生的に処理したいという市場の要請が高まっている。
【０００３】
従来、室内におけるペットの排泄物の処理は、特許文献１に開示されているようなトレー型のペット用トイレを設置し、このペット用トイレを排泄場所として認識するようにトイレトレーニングの躾を施す。
【０００４】
しかし、この種のペット用トイレでは、病気や老衰により立ち上がれなくなった犬や、そもそも躾がきかない年齢の子犬の排泄をサポートすることができない点で問題がある。
【０００５】
また、一旦は躾が定着した犬であっても、ストレスなどに起因して、ある時からペット用トイレで排尿しなくなってしまう場合が多々ある。そのようなペットに再びトイレトレーニングをし直すことは、飼い主にとって大変面倒であるため、ベランダや庭など近場に出して排尿させてしまうことが多い。このようにベランダや庭など近場に出して排尿させてしまうと、尿の悪臭が近隣トラブルを招く原因となる。
【０００６】
さらに、犬は、喜んだり驚いたり極度の興奮によって尿失禁することが知られている。このような尿失禁は、通常の排尿行動とは異なり、ペット用トイレ以外の場所で行われるから、床の拭き掃除や、絨毯の洗濯など後始末の負担を強いられることとなる。
【０００７】
加えて、ペットとして飼われている動物の中にあって、例えば雄犬などは、生来の縄張り本能に基づき、臭いつけ（マーキング）のために尿を振りまく習性がある。マーキング行動は、室内、室外を問わずあらゆる場所に対して行われるため、ペット用トイレでは対応することができない。
【０００８】
飼い犬が室内でマーキング行動を起こす契機として、例えば、訪問した知人宅で犬を飼っている場合、その犬の臭いに反応して室内でマーキング行動を起こすことがある。このようなマーキング行動を防止できない限り、飼い犬を連れて他人の家を訪れたり、他人の家に預けたりすることができない。
【０００９】
他方、飼い犬が室外でマーキング行動を起こす契機として、散歩中、他人の家の玄関先や、電信柱、植木鉢などに既にマーキングされた臭いに反応してマーキング行動を起こすことがある。このように、一旦マーキングされた箇所には、多数の犬が重ねて尿をかけるため、強烈な悪臭を放ち、近隣トラブルを招く原因となる。また、玄関、電信柱などのコンクリート製品が腐敗する原因となったり、尿により土の水素イオン指数（ｐｈ）が変化して、植木鉢の植物が枯死する原因となる。
【００１０】
そこで、多くの飼い主は、ペットの散歩中に水筒を持ち歩き、マーキングした跡に水をかけて臭いを消すなどの消臭対策をとっているが、一旦染み付いた尿を完全に洗い流すことは困難である。
【００１１】
そもそも、ペットの排尿処理における根本的な問題点は、尿は便とは異なり液体であるから、排尿と同時に処理しないと対象物に染み込んでしまい、後始末が難しい点にある。
この問題を解決する従来技術として、特許文献２及び３には、ペットの体に装着し、排出された尿を即時に吸収する尿取り具が開示されている。特許文献２に記載された発明は、腹巻タイプの尿取り具であって、ペットの胴体に巻装するマナーベルトの内周面に、吸水性を有する尿取りシートを貼り付けたものである。他方、特許文献３に記載された発明は、尿取りシートを船形にして紐をつけたマーキング及び失禁防止帯が開示されている。
【００１２】
確かに、特許文献２、３によると、通常の排尿時の尿、尿失禁の尿、及び、マーキング行動時の尿を即時に吸収することができる。
【００１３】
しかし、特許文献２の尿取り具では、尿漏れを防止するため、泌尿器の尿道口が尿取りシートの中心に来ているか目で確認しながら装着させる必要がある。このような装着作業を、人間より背の低い動物に対して行うのは多大な労力を要する。
【００１４】
また、尿道口が尿取りシートの中心から外れていることに気付かずに装着させてしまった場合、尿取りシートの領域外に尿漏れを起こすこととなる。しかも、マナーベルトは、ペットに対して苦痛やストレスを与えないように、胴体への締め付け圧力が緩めに調節される傾向にあるから、装着中のペットの動作によって尿道口が尿取りシートの中心からずれてしまうという不具合が生じやすい。上述した装着時の位置決めミス、及び、装着中の位置ズレにより尿取りシートの領域外に尿漏れが生じ、この尿漏れによってマナーベルトが汚れると、ベルトを洗濯しなければならなくなり、多大な労力を要する。
【００１５】
さらに、特許文献２の尿取り具では、尿取りシートの一面で尿を捕捉しているから、使用済みの尿取りシートを廃棄する際、シート表面から尿の悪臭が立ち上るとともに、尿取りシートに含まれる尿が手についたり、尿取りシートの端から尿がたれてしまったりして後始末を衛生的に行うことができない。その結果、手洗い設備のない外出先での使用、及び、交換は敬遠されがちになり、使い勝手が悪い。
【００１６】
同様に、特許文献３も、泌尿器挿入口が大きく開口しているから、使用済みの尿取りシートを廃棄する際、開口部から尿の悪臭が立ち上るとともに、尿が手につくなどして後始末を衛生的に行うことができない。
【００１７】
この種の尿取り袋は、泌尿器に装着されて尿を即時に吸収するという機能に着目すると、動物用と、人間用とで必ずしも明確に区別することができない。例えば、特許文献４及び５に開示されている男性用尿吸収具は、動物に対しても流用可能である。
【００１８】
しかし、特許文献４及び５でも、依然として使用済みの尿取りシートを廃棄する際の尿漏れ、悪臭など衛生面の問題を解決することができない。例えば、特許文献４の尿取り具では、開口部がスリット状であるから、尿の悪臭は開口部を通じて外部に漏出する。他方、特許文献５の尿取り具は、泌尿器挿入口とは別に開口部を有しているから、何れかの開口部を通じて尿漏れや、悪臭が生じる。
【特許文献１】特開２００７−１５９５９１号公報
【特許文献２】特開２００５−２２９９１５号公報
【特許文献３】特開２００２−１２５５０５号公報
【特許文献４】特開２００４−２９８４５７号公報
【特許文献５】特開平０８−１７３４６８号公報
【発明の開示】
【発明が解決しようとする課題】
【００１９】
本発明の課題は、尿漏れ、及び、悪臭漏れを防止することができる雄ペット用尿取り袋、及び、これを用いた尿取り具を提供することである。
【００２０】
本発明のもう１つの課題は、着脱作業を容易に、且、衛生的に行うことができる雄ペット用尿取り袋、及び、これを用いた尿取り具を提供することである。
【００２１】
本発明の更にもう一つの課題は、着脱作業を容易に、且、衛生的に行うことができる雄ペット用尿取り袋、及び、これを用いた尿取り具を提供することである。
【００２２】
本発明の更にもう一つの課題は、装着中に違和感や苦痛を感じることなく、長時間に渡って良好に装着させることができる雄ペット用尿取り袋、及び、これを用いた尿取り具を提供することである。
【００２３】
本発明の更にもう一つの課題は、安価に製造することができる雄ペット用尿取り袋、及び、これを用いた尿取り具を提供することである。
【００２４】
本発明の更にもう一つの課題は、持ち運びが容易である雄ペット用尿取り袋、及び、これを用いた尿取り具を提供することである。
【課題を解決するための手段】
【００２５】
上述した課題を解決するため、本発明に係る雄ペット用尿取り袋は、第１のシート部と、第２のシート部とを含む。第１、第２のシート部は、互いに重なって袋状の内部空間を構成し、かつ、周縁が閉じられている。第２のシート部は、第１の面領域と、第２の面領域とを有している。第１、第２の面領域は、一端側が非接合状態で互いに重なり合って泌尿器挿入口を構成し、一端側を除く周縁が第１のシート部の周縁と連続している。
【００２６】
本発明に係る雄ペット用尿取り袋は、支持体と組み合わされて、尿取り具を構成する。支持体は、雄ペットの泌尿器が泌尿器挿入口を通じて内部空間に案内されている状態で、尿取り袋を、泌尿器の周辺に取り付ける。
【００２７】
上述したように、本発明に係る尿取り具を構成する尿取り袋は、第１のシート部と、第２のシート部とが、互いに重なって袋状の内部空間を構成しているから、尿取り袋、及び、内部空間は、全体として扁平になる。従って、嵩張らない態様で持ち運びすることができる。
【００２８】
第１、第２のシート部は、周縁が閉じられているから、尿取り袋の内には密閉された内部空間が構成される。従って、第１、第２のシート部を、一般的な尿取り袋と同様の吸水シートで構成することにより、内部空間に排出された尿を外部に漏れ出すことなく全て吸収し、確実に尿漏れを防止することができる。
【００２９】
本発明に係る尿取り袋は、泌尿器挿入口の構造に工夫を加えた点に特徴の一つがある。即ち、尿取り袋を構成する第２のシート部は、第１の面領域と、第２の面領域とを有しており、第１、第２の面領域は、一端側が非接合状態で互いに重なり合って泌尿器挿入口を構成している。この構成によると、泌尿器挿入口は、内部空間に通じている。
【００３０】
泌尿器挿入口は、非接合状態であり、指で簡単に押し広げることができるから、雄ペットの泌尿器を、袋状の内部空間へ容易に案内することができる。
【００３１】
また、第１、第２の面領域は、一端側が非接合状態で互いに重なり合って泌尿器挿入口を構成しているから、泌尿器は、泌尿器挿入口に差し込まれた状態で、内部空間内を自由に動くことができる。従って、雄ペットは、尿取り具の装着中に違和感や苦痛を感じるがことなく、長時間に渡って良好に装着させることができる。
【００３２】
泌尿器挿入口は、第１、第２の面領域の一端側が互いに重なり合っている状態で、内部空間が密閉されている。従って、内部空間に排出された尿、及び、尿の悪臭が、内部空間の外部に漏出する不具合を回避し、使用済みとなった尿取り袋の廃棄作業を衛生的に行うことができる。
【００３３】
他方、第２のシート部を構成する第１、第２の面領域は、一端側を除く周縁が第１のシート部の周縁と連続しているから、内部空間は、泌尿器挿入口でのみ開口することとなる。従って、確実に尿漏れを防止することができる。
【００３４】
本発明に係る尿取り袋の泌尿器挿入口は、第２のシート部を構成する第１、第２の面領域の重なりによって構成されるから、安価に製造することができる。
【００３５】
本発明に係る尿取り具において、支持体は、雄ペットの泌尿器が泌尿器挿入口を通じて内部空間に案内されている状態で、尿取り袋を、泌尿器の周辺に取り付ける。このように、支持体と、尿取り袋とが別体で構成されている構造によると、着脱作業時、廃棄作業時の取り扱いが容易である。さらに、支持体として、周知のマナーベルトや、ペット用衣類を用いることにより、組み合わせのバリエーションを確保することができる。
【００３６】
本発明に係る雄ペット用尿取り袋、及び、これを用いた尿取り具の具体的態様について、雄ペット用尿取り袋は貼り付け部を含み、貼り付け部は、第１のシート部に配置されているから、マナーベルトなどの支持体に対して、尿取り袋を安定的に載置し、もって確実に尿漏れを防止することができる。
【００３７】
本発明の他の目的、構成及び利点については、添付図面を参照し、更に詳しく説明する。添付図面は、単に、例示に過ぎない。
【発明の効果】
【００３８】
以上述べたように、本発明によれば、次のような効果を得ることができる。
【００３９】
（１）尿漏れ、及び、悪臭漏れを防止することができる雄ペット用尿取り袋、及び、これを用いた尿取り具を提供することができる。
（２）着脱作業を容易に、且、衛生的に行うことができる雄ペット用尿取り袋、及び、これを用いた尿取り具を提供することができる。
（３）装着中に違和感や苦痛を感じることなく、長時間に渡って良好に装着させることができる雄ペット用尿取り袋、及び、これを用いた尿取り具を提供することができる。
（４）安価に製造することができる雄ペット用尿取り袋、及び、これを用いた尿取り具を提供することができる。
（５）持ち運びが容易である雄ペット用尿取り袋、及び、これを用いた尿取り具を提供することができる。
【発明を実施するための最良の形態】
【００４０】
図１は本発明の一実施形態に係る雄ペット用尿取り袋の斜視図、図２は図１に示した尿取り袋の展開図、図３は図１に示した雄ペット用尿取り袋の平面図である。また、図４は図３の４−４線に沿った断面図、図５は図３の５−５線に沿った断面図である。
【００４１】
本発明の一実施形態に係る尿取り袋は、マナーベルトの内面、又は、ペット用紙おむつの内面などに配置して使用されるものであって、第１のシート部１０と、第２のシート部２０とを含む。
【００４２】
第１のシート部１０は、折り畳み自在な柔軟性を有しており、一面１０１が液透過性を有し、他面１０２が液不透過性を有し、一面１０１と他面１０２との間に吸水性樹脂を主成分とする吸水層１０３を有している。
【００４３】
第２のシート部２０は、折り畳み自在な柔軟性を有しており、一面２０１が液不透過性を有し、他面２０２が液透過性を有し、一面２０１と他面２０２との間に吸水性樹脂を主成分とする吸水層２０３を有している。
【００４４】
図２を参照すると、尿取り袋は、一枚のシート材を折り畳み成形して構成されており、第１、第２のシート部１０、２０がシート材の一部として現れている。図２のシート材は、周知のペット用トイレシート、又は、尿取りシートであって、長さ方向Ｌに向い合う２つの端縁２１０、２２０を有している。
【００４５】
第１、第２のシート部１０、２０は、２つの端縁２１０、２２０が互いに平行して長さ方向Ｌに重なり合うよう、境界線Ｂ１、Ｂ２でシート材を折り畳むことにより、現れるシート材の一部である。一点鎖線で示す境界線Ｂ１、Ｂ２は、長さ方向Ｌに直交する幅方向Ｗに沿って伸びており、シート材の全長寸法を３分割している。第１のシート部１０に対応する中間部分の長さ寸法Ｌ１は、第２のシート部２０に対応する部分の長さ寸法Ｌ２１、Ｌ２２を足したものとほぼ等しくなっている。
【００４６】
ふたたび図１乃至図５を参照して説明すると、第１、第２のシート部１０、２０は、互いに重なって、相対向面間に袋状の内部空間１００が構成される。第１のシート部１０は、一面１０１が、第２のシート部２０の他面２０２に、面対向して重ねられ、面対向する周縁が、例えば熱溶着により閉じられている。尿取り袋は、全体として扁平となり、袋内部に構成される内部空間１００もまた、扁平となる。内部空間１００は、その内面が、一面１０１と、他面２０２、及び、それらに隣接する吸水層１０３で覆われている。
【００４７】
第２のシート部２０は、第１の面領域２１と、第２の面領域２２とを有している。第１、第２の面領域２１、２２のそれぞれは、端縁２１０、２２０が非接合状態で互いに重なり合って泌尿器挿入口２４を構成する。
【００４８】
第１の面領域２１は、一端側に円弧状の端縁２１０を有し、さらに端縁２１０の両端を二点鎖線で結んだ面内に重なり代２１１を有している。同様に、第２の面領域２２は一端側に円弧状の端縁２２０を有し、端縁２２０の両端を二点鎖線で結んだ面内に重なり代２２１を有している。
【００４９】
第１、第２の面領域２１、２２は、一方の端縁２２０が、他方の端縁２１０に対して長さ方向Ｌに間隔Ｄ１（最大差し渡し寸法差）を隔てて、厚み方向Ｔに覆いかぶさることにより、重なり代２１１の一面１０２と、重なり代２２１の他面２０２との間に、略楕円形状の重なり領域Ｓ１が形成される。挿入口２４は、この重なり領域Ｓ１に設けられた非接合領域であり、第２のシート部２０の面内において、開閉可能な状態で内部空間１００に通じている。図１乃至図５において、重なり領域Ｓ１は、全面で非接合状態になっているが、内部空間１００に通じる挿入路に対応する部分が非接合状態となっていればよく、重なり領域Ｓ１のうちの一部が非接合状態であればよい。
【００５０】
挿入口２４は、端縁２１０及び重なり代２１１によって構成される第１の面部２１の端縁部分が、端縁２２０及び重なり代２２１によって構成される第２の面部２２の端縁部分の一面に重なって内部空間１００を閉塞する。他方、挿入口２４は、端縁２１０及び重なり代２１１が、端縁２２０及び重なり代２２１の一面に引き出されて内部空間１００を開放する。
【００５１】
第１、第２の面領域２１、２２のそれぞれは、挿入口２４となる端縁２１０、２２０を除く周縁が第１のシート部１０の周縁と連続する。即ち、内部空間１００は、第１のシート部１０の一面１０１と、この一面１０１に向い合う第２のシート部２０の他面２０１との間で密閉され、幅方向Ｗ、及び、長さ方向Ｌの両端縁の４方向が閉じており、挿入口２４でのみ外部に開口している。
【００５２】
さらに雄ペット用尿取り袋は、第１、第２の貼り付け部２５、２６と、第１〜第３の谷折線Ｃ１〜Ｃ３とを有している。第１、第２の貼り付け部２５、２６は、好ましくは繰り返し着脱可能な接着性を有する面領域であって、例えば両面テープを用いることができる。第１、第２の貼り付け部２５、２６のそれぞれは、第１のシート部１０の面内において、挿入口２４と平行する幅方向Ｗの両端付近に配置されている。
【００５３】
第１〜第３の谷折線Ｃ１〜Ｃ３は、本発明の一実施形態に係る雄ペット用尿取り袋の折り畳み構造を示している。第１の谷折線Ｃ１は、長さ寸法Ｌ１の中間部を幅方向Ｗに伸びている。第２、第３の谷折線Ｃ２、Ｃ３は、第１、第２のシート部１０、２０において、幅寸法Ｗ１を三等分するように等配され、長さ方向Ｌに沿って伸びている。第１〜第３の谷折線Ｃ１〜Ｃ３は、シート材に折り畳み癖をつけたものでよい。
【００５４】
第１〜第３の谷折線Ｃ１〜Ｃ３の具体的な作用効果について、さらに図６乃至図１０を参照して説明する。図６乃至図９は本発明の一実施形態に係る雄ペット用尿取り袋の使用方法を示す平面図、図１０は図９に示した尿取り袋の正面図である。図６乃至図１０において、図１乃至図５に示した構成部分と同一の構成部分には、同一の参照符号を付す。
【００５５】
まず、図６に示すように、第１の谷折線Ｃ１に沿って第１、第２のシート部１０、２０を矢印Ｍ１で示す方向に谷折する。
【００５６】
図７に示す工程は、図６に示した工程のあとの状態を示す平面図であって、尿取り袋は、図６の折り畳みにより、長さ寸法Ｌ１が、１／２程度に縮小されるとともに、挿入口２４が第１の谷折線Ｃ１で折り返されて、内部空間１００が完全に密閉される。
【００５７】
さらに、図７に示すように、第２の谷折線Ｃ２に沿って、第１、第２のシート部１０、２０を矢印Ｍ２で示す方向に谷折する。
【００５８】
図８に示す工程は、図７に示した工程のあとの状態を示す平面図であって、尿取り袋は、図７の折り畳みにより、第１の貼り付け部２５が表側に現れるとともに、全幅寸法Ｗ１が、２／３程度の幅寸法Ｗ２に縮小される。さらに、図８に示すように、第３の谷折線Ｃ３に沿って、第１、第２のシート部１０、２０を矢印Ｍ３で示す方向に谷折する。
【００５９】
図９、及び図１０は、図８に示した工程のあとの状態を示す図であって、尿取り袋は、図８の折り畳みにより、全幅寸法Ｗ１が、１／３程度の幅寸法Ｗ３に縮小されるとともに、挿入口２４が、第２、第３の谷折線Ｃ２、Ｃ３に沿って３重に折り返されることにより、内部空間１００の密閉度が高まる。また、第１、第２のシート部１０、２０が、第３の谷折線Ｃ３に沿って折り畳まれることにより、折り返し部分が、先に表側に現れている第１の貼り付け部２５に接着し、折り畳み状態が維持される。
【００６０】
第１、第２の貼り付け部２５、２６のそれぞれは、第１のシート部１０の面内において、挿入口２４と平行する幅方向Ｗの両端付近に配置されているから、第２、第３の谷折線Ｃ２、Ｃ３のいずれを先に折り畳みたとしても、図１０に示すように、折り畳み部分の平面側には第１、第２の貼り付け部２５、２６の何れかが現れる。従って、第２、第３の谷折線Ｃ２、Ｃ３のいずれを先に折り畳んだとしても、上述した折り畳み状態を、第１、第２の貼り付け部２５、２６により接着して固定することができる。
【００６１】
図６乃至図１０を参照して説明したように、第１〜第３の谷折線Ｃ１〜Ｃ３に沿って折り畳まれた雄ペット用尿取り袋は、図６に示した開状態の平面積（平面寸法）が、図９に示した状態において１／６程度に低減され、コンパクトになる。従って、散歩など外出の際に嵩張らず容易に携行することができるとともに、使用済みの雄ペット用尿取り袋を外出先から容易に持ち帰ることができる。
【００６２】
また、挿入口２４が、第１〜第３の谷折線Ｃ１〜Ｃ３に沿って折り畳まれることにより、内部空間１００が密閉されるから、尿漏れ、及び、悪臭漏れを防止することができる。
【００６３】
図１乃至図１０を参照して説明した雄ペット用尿取り袋は、支持体と組み合わされて、尿取り具を構成する。次に、本発明の一実施形態に係る雄ペット用尿取り袋１を用いた尿取り具について、図１１乃至図１３を参照して説明する。図１１は本発明の一実施形態に係る尿取り具の平面図、図１２は図１１に示した尿取り具の分解構造を示す斜視図、図１３は図１１に示した尿取り具の使用方法を示す斜視図である。図１１乃至図１３において、図１乃至図１０に示した構成部分と同一の構成部分には、同一の参照符号を付す。
【００６４】
図１１乃至図１３を参照すると、本発明の一実施形態に係る尿取り具は、尿取り袋１と、支持体３とを有している。尿取り袋１は、図１乃至図１０を参照して説明したものでなり、第１、第２の貼り付け部２５、２６によって、支持体３に繰り返し着脱可能に取り付けられている。
【００６５】
支持体３は、尿取り袋１を、雄ペット４の泌尿器４０の周辺に取り付け、この取り付け状態において、泌尿器４０が、挿入口２４を通じて内部空間１００に案内されている。図１１乃至図１３に示す支持体３は、周知のマナーベルトであるが、雄ペット４の泌尿器４０付近（下腹部）に装着されるものであれば、所謂紙おむつや、その他ズボンなどのペット用衣装であってもよい。
【００６６】
図１１乃至図１３に示す支持体３は、全体として布製品が好ましく、より好ましくは尿取り袋１の設置領域３０が、例えば化学繊維など防水性、又は、遮水性を有する素材で構成されている。設置領域３０が防水性を有する構造によると、万が一、尿漏れが生じた場合にも容易に洗濯することができる。
【００６７】
支持体３は、一面３１の一方の端縁に第１の面ファスナ部３５を有し、他面３２の他端に第２の面ファスナ部３６を有している。第１、第２の面ファスナ部３５、３６は互いに面結合可能であり、支持体３の両端を結合して、環状、又は、バンド状とするために用いられる。
【００６８】
本発明に係る尿取り具の具体的な使用態様について、更に図１４乃至図１７を参照して説明する。図１４は本発明の一実施形態に係る尿取り具の使用状態を示す図、図１５は図１４に示した尿取り具の一部を拡大して示す部分断面図、図１６は図１４に示した尿取り具の一部を拡大して示す部分平面図、図１７は図１４に示した尿取り具の一部を拡大して示す平面図である。図１４乃至図１７において、図１乃至図１３に示した構成部分と同一の構成部分には、同一の参照符号を付す。
【００６９】
図１４乃至図１７に示すように、尿取り具は、支持体３が、雄ペット４の胴体に装着され、第２のシート部２０が雄ペット４の腹部に対面し、且、泌尿器４０が内部空間１００に収納された状態で、尿取り袋１を、泌尿器４０付近に密着して固定する。挿入口２４は、端縁２１０が端縁２２０の上に引き出されることにより内部空間１００を大きく開放し、この開状態で、泌尿器４０が端縁２１０に対して直交する方向に差し込まれる。挿入口２４に差し込まれた泌尿器４０は、第１の面領域２１の他面２０２に掛け止められる。
【００７０】
図１乃至図１７を参照して説明したように、尿取り袋１を構成する第１、第２のシート部１０、２０は、互いに重なって内部空間１００を構成している。この構成によると、尿取り袋１、及び、内部空間１００は、全体として扁平になるから、嵩張らない態様で持ち運び可能となる。
【００７１】
第１、第２のシート部１０、２０は、面対向する周縁が閉じられ、袋内に密閉された内部空間１００を構成する。しかも、尿取り袋１は、液透過性を有する第１のシート部１０の一面１０１と、同じく液透過性を有する第２のシート部２０の他面２０２とが内面となり、この内面が内部空間１００を構成しているから、泌尿器４０が内部空間１００に収納された状態で、排尿、尿失禁、及び、マーキング行動により排出された尿は、内部空間１００から外部に漏れ出すことなく全て吸水層１０３で吸収される。従って、確実に尿漏れを防止することができる。
【００７２】
ここで、第１、第２のシート部１０、２０に吸水層１０３を設けた場合、従来の尿取りシートと比較して、吸収領域の面積が２倍に広がり、尿吸収可能量も２倍になる。他方、尿吸収可能量を従来と同じに設定した場合、第１、第２のシート部１０、２０のシート厚みを従来の半分程度に抑えることができるから、全体形状の小型化が可能であるとともに、製造コストを低減することができる。
【００７３】
他方、尿取り袋１の外面は、液不透過性を有する他面１０２と、同じく液不透過性を有する一面２０１とによって構成されている。この構造によると、吸水層１０３に保持されている尿は、外部に漏出しない。
【００７４】
本発明に係る尿取り袋１は、挿入口２４の構造に工夫を加えた点に特徴の一つがある。即ち、尿取り袋１を構成する第２のシート部２０は、第１の面領域２１と、第２の面領域２２とを有しており、第１、第２の面領域２１、２２は、端縁２２０が、端縁２１０に対して長さ方向Ｌに間隔Ｄ１を隔てて、覆いかぶさることにより、重なり代２１１、２２１の面対向部分に重なり領域Ｓ１が形成される。挿入口２４は、この重なり領域Ｓ１に設けられた非接合領域であり、第２のシート部２０の面内において、開閉可能な状態で内部空間１００に通じている。
【００７５】
挿入口２４となる重なり領域Ｓ１は非接合状態であるから、挿入口２４の開閉は、例えば、尿取り袋１を幅方向Ｗに軽く湾曲させ、又は、指で押し広げるだけの簡単な操作で行うことができる。従って、泌尿器４０を、内部空間１００へ容易に案内することができる。
【００７６】
挿入口２４を通じて、泌尿器４０を内部空間１００に案内する場合、泌尿器４０は、重なり領域Ｓ１に対して、端縁２１０に直交する長さ方向Ｌから差し込まれる。この装着作業において、端縁２１０が泌尿器４０に対するガイドとなり、泌尿器４０は端縁２１０に引っかかって後、さらに他面２０２に沿って内部空間１００に容易に案内される。この構造によると、雄ペット４が立ち上がり、泌尿器４０が地面方向に垂れ下がった状態で、尿取り袋１を雄ペット４の腹部に沿わせるようにするだけで、泌尿器４０を内部空間１００に誘導することができる。しかも、泌尿器４０が内部空間１００に収納されているか否かは、手を放して尿取り袋１が泌尿器４０に引っかかるか否かを確認するだけでよい。従って、着脱作業を容易に行うことができる。
【００７７】
さらに、泌尿器４０は、重なり領域Ｓ１に差し込まれた場合、第２の面領域２２の一面２０１に沿って内部空間１００に案内される。即ち、第２の面領域２２は、泌尿器４０を挿入する際のガイド面として機能するから、尿取り具２の装着時に、泌尿器４０が第１のシート部１０の他面１０２を通って、挿入口２４から外れてしまう等の不正挿入を回避することができる。
【００７８】
第１、第２の面領域２１、２２は、端縁２１０、２２０が非接合状態で互いに重なり合って挿入口２４を構成しているから、雄ペット４の泌尿器４０は、挿入口２４に差し込まれた状態で、内部空間１００内を自由に動くことができる。さらに言えば、泌尿器４０には、内部空間１００に収納された状態で、何らの締め付け圧力も加えられていない。従って、雄ペット４は、泌尿器４０に尿取り袋１を長時間装着しても、苦痛やストレス（違和感）を感じることなく元気で動き回ることができる。
【００７９】
挿入口２４は、第１、第２の面領域２１、２２の端縁２１０、２２０が互いに重なり合っている状態で、内部空間１００が密閉されている。従って、泌尿器４０の位置が多少移動したとしても、尿道口が内部空間１００の領域内に有る限り尿を吸水層１０３で吸収することができる。
【００８０】
しかも、第１、第２の面領域２１、２２は、端縁２１０、２２０を除く周縁が第１のシート部１０の周縁と連続しているから、内部空間１００は、挿入口２４でのみ開口することとなり、吸水層１０３で吸収された尿、及び、尿の悪臭が、挿入口２４を通じて外部に漏出する不具合を回避することができる。従って、尿取り袋１の着脱作業、使用済みとなった尿取り袋１の廃棄作業を衛生的に行うことができる。
【００８１】
尿取り袋１の挿入口２４は、第１、第２の面領域２１、２２の重なりによって構成されるから、安価に製造することができる。
【００８２】
支持体３は、尿取り袋１を、雄ペット４の泌尿器４０の周辺に取り付け、この取り付け状態において、雄ペット４の泌尿器４０が、挿入口２４を通じて内部空間１００に案内されている。このように、支持体３と、尿取り袋１とが別体で構成されている構造によると、着脱作業時、廃棄作業時の取り扱いが容易である。さらに、支持体３として、周知のマナーベルトや、ペット用衣類を用いることにより、組み合わせのバリエーションを確保することができる。
【００８３】
しかも、尿取り袋１は、扁平であるから、雄ペット４の腹部、及び、泌尿器４０に対して密着して取り付けることができる。従って、紙おむつタイプとは異なり、看者に病的な印象を与えることはない。
【００８４】
尿取り袋１は第１、第２の貼り付け部２５、２６を含み、第１、第２の貼り付け部２５、２６のそれぞれは、第１のシート部１０の面内において、挿入口２４と平行する幅方向Ｗの両端付近に配置されているから、支持体３に対し、尿取り袋１が安定的に載置される。従って、装着時の位置決めミス、及び、装着中の位置ズレの発生を回避し、確実に尿漏れを防止することができる。
【００８５】
また、第１、第２の貼り付け部２５、２６のそれぞれは、第１のシート部１０の面内において、挿入口２４と平行する幅方向Ｗの両端付近に配置されているから、第１〜第３の谷折線Ｃ１〜Ｃ３による尿取り袋１の折り畳み状態を、第１、第２の貼り付け部２５、２６の何れかで止めることができる。従って、散歩など外出の際に容易に携行することができるとともに、使用済みの尿取り袋１を外出先から容易に持ち帰ることができる。
【００８６】
尿取り袋１は、第１〜第３の谷折線Ｃ１〜Ｃ３の全てを折り畳み終わるまでは、第１、第２の貼り付け部２５、２６の何れかにより、設置領域３０に仮止めされた状態となっているから、外出先でも立ったままで簡単に装着でき、はずした時も手を汚さず小さく畳むことができる。従って、手が汚れないように衛生的に着脱作業を行うことができ、手洗い設備のない外出先でも躊躇することなく使用、及び、交換することができるから、使い勝手がよい。
【００８７】
上述したように、本発明の一実施形態に係る尿取り袋１によると、病気や老衰により立ち上がれなくなった犬や、未だ躾のできない年齢の子犬などの排尿、尿失禁、及び、マーキング行動により尿を確実に捕捉することができる。
【００８８】
また、ストレスなどに起因して、ある時からペット用トイレで排尿しなくなってしまった犬についても、本発明に係る尿取り具を用いることにより、再びトイレトレーニングをし直すことなく、尿を尿取り袋１で捕捉することができる。従って、やむを得ずベランダや庭など近場に出して排尿させてしまうことがなくなり、尿の悪臭が近隣トラブルを招くこともない。
【００８９】
さらに、ペットとともに気軽に他人の家を訪れたり、自分の外出中にペットを預けたりすることが容易になる。また、散歩中に玄関の門扉、電信柱、植木鉢などに対するマーキング行動を回避することができるから、悪臭による近隣トラブルの問題、玄関、電信柱などのコンクリート製品が腐敗する問題、尿により土の水素イオン指数（ｐｈ）が変化し植木鉢の植物が枯死する問題などを回避することができる。
【００９０】
尿取り袋１は内部空間１００に通じる挿入口２４を有しているから、従来の腹巻タイプの尿取り具（特許文献２参照）とは異なり、泌尿器４０が内部空間１００に案内されてさえいれば、尿道口の位置を確認する必要はない。従って、装着作業が容易になり、動き回る動物相手でも容易に装着させることができる。
【００９１】
同様に、泌尿器４０は、内部空間１００に案内されてさえいればよいから、従来のおむつタイプの尿取り具（特許文献３参照）とは異なり、下半身全体を覆う必要はない。従って、製造コストを低減し、装着中の病的な印象をうける不都合を回避することができる。
【００９２】
図１８は本発明のもう一つの実施形態に係る尿取り袋の平面図、図１９は図１８に示した尿取り袋の展開図である。図１８及び図１９において、図１乃至図１７に示した構成部分と同一の構成部分には、同一の参照符号を付す。
【００９３】
図１８乃至図１９の尿取り袋は、第２のシート部２０の面内中央部に泌尿器挿入口２４を有する点に特徴の１つがある。以下、図１乃至図１７の尿取り袋との相違点を中心に説明する。
【００９４】
図１８乃至図１９の実施形態において、第２のシート部２０を構成する第１、第２の面領域２１、２２のそれぞれは、端縁２１０、２２０が非接合状態で互いに重なり合って挿入口２４を構成する。第１の面領域２１は、一端側の中央に円弧状の端縁２１０を有し、さらに端縁２１０の両端を二点鎖線で結んだ面内に重なり代２１１を有している。
【００９５】
他方、第２の面領域２２は、一端側に直線状の端縁２２０を有し、端縁２２０の両端を円弧状の二点鎖線で結んだ面内に重なり代２２１を有している。重なり代２２１の形状は、重なり代２１１に追従して決定される。
【００９６】
さらに、第２の面領域２２は、端縁２２０の幅方向Ｗの両端付近に第１、第２の凸部２７、２８を有している。第１、第２の凸部２７、２８は、端縁２１０の幅に追従した間隔Ｄ２を隔てて幅方向Ｗの両端付近に配置されており、端縁２２０から長さ方向Ｌに突出している。さらに、第１、第２の凸部２７、２８は、端縁２２０から突出する面内に重なり代２７０、２８０を有している。
【００９７】
第１、第２の面領域２１、２２は、端縁２２０が、端縁２１０の両端を結んだ二点鎖線に一致するように覆いかぶさることにより、第１の面領域２１の端縁部分と、第２の面領域２２の端縁部分との面対向する部分に、それぞれ重なり領域Ｓ１〜Ｓ３が形成される。
【００９８】
重なり領域Ｓ１は、重なり代２１１の他面２０２と、重なり代２２１の一面２０１とによって構成されており、非接合状態となっている。この重なり領域Ｓ１は、挿入口２４となる。挿入口２４は、重なり領域Ｓ１によって内部空間１００を閉塞し、且、重なり代２１１が、端縁２２０の一面２０１に引き出されて内部空間１００を開放する。
【００９９】
他方、重なり領域Ｓ２、３は、第１の面領域２１の一面２０１と、重なり代２７０、２８０の他面２０２との間に形成される接合領域である。重なり領域Ｓ２、３において、第１の面領域２１の一面２０１と、重なり代２７０、２８０の他面２０２とは、互いに接合されている。
【０１００】
尿取り袋を構成する第１、第２の面領域２１、２２のそれぞれは、挿入口２４となる重なり領域Ｓ１を除く周縁が第１のシート部１０の周縁と連続する。即ち、内部空間１００は、第１のシート部１０の他面１０２と、この他面１０２に向い合う第２のシート部２０の一面２０１との間に構成され、幅方向Ｗ、及び、長さ方向Ｌの両端縁の４方向が閉じており、挿入口２４でのみ外部に開口している。
【０１０１】
図１８乃至図１９を参照して説明した実施形態によっても、第１、第２の面領域２１、２２が非接合状態で互いに重なり合い、開閉可能な重なり領域Ｓ１が挿入口２４を構成しているから、図１乃至図１７を参照して説明した利点を全て有することができる。さらに、図１８乃至図１９に示した実施形態によると、雄ペット４の種類や大きさに追従して挿入口２４の形状、大きさを調節することができる。
【０１０２】
図２０は、本発明のもう一つの実施形態に係る尿取り具の平面図である。図２０において、図１乃至図１９に示した構成部分と同一の構成部分には、同一の参照符号を付す。
【０１０３】
図２０は、図１１乃至図１６を参照して説明した支持体３を一体的に有する尿取り袋１の実施形態であって、第１、第２の支持部２９１、２９２を有している。第１、第２の支持部２９１、２９２は、例えば柔軟性を有するシートで構成されており、尿取り袋１の横方向Ｗの両端に、一体的に形成され、雄ペット４の泌尿器４０が内部空間１００に案内された状態で、尿取り袋１を、雄ペット４の泌尿器４０付近に固定する。
【０１０４】
第１、第２の支持部２９１、２９２は、それぞれ一端側に面ファスナ部２９５、２９６を有している。面ファスナ部２９５、２９６は互いに面結合可能であり、第１、第２の支持部２９１、２９２を面結合することで、尿取り具を環状、又は、バンド状とする。
【０１０５】
図２０を参照して説明した実施形態によっても、図１乃至図１９を参照して説明した利点を全て有することができる。さらに、図２０に示した実施形態によると、図１１乃至図１７に示した支持体３を尿取り袋１と一体化することにより、全体として使い捨て可能とすることができる。
【０１０６】
図２１乃至図２３は、本発明に係る尿取り袋の実施形態のバリエーションを示している。図２１乃至図２３において、図１乃至図２０に示した構成部分と同一の構成部分には、同一の参照符号を付す。
【０１０７】
図２１の尿取り袋は、第２のシート部２０、及び、第２のシート部２０を構成する第１、第２の面領域２１、２２が、吸水層１０３を有していない点に特徴の１つがある。具体的に、第２のシート部２０は、液不透過性を有し、好ましくは薄膜状の軟質プラスチック（ビニールシート）で構成されている。図２１に示した実施形態によっても、図１乃至図２０を参照して説明した利点を全て有することができる。さらに、図２１に示した実施形態では、袋の底部に当たる第１のシート部１０にのみ吸水層１０３を設けることにより、製造コストを低減すること、及び、尿取り袋の薄型化を図ることができる。
【０１０８】
図２２の尿取り袋は、袋を構成する第１、第２のシート部１０、２０とは別体に吸水層１０３を設けた点に特徴の１つがある。即ち、図２２の尿取り袋は、一枚のビニールシートを折り畳み成形して構成されており、第１、第２のシート部１０、２０がビニールシートの一部として現れている。他方、吸水層１０３は、吸水性樹脂を主成分とし、好ましくは、周知のペット用トイレシート、又は、尿取りシートであって、内部空間１００の底面に相当する一面１０１に配置されている。図２２に示した実施形態によっても、図１乃至図２１を参照して説明した利点を全て有することができる。
【０１０９】
図２３に示した尿取り袋の実施形態において、泌尿器挿入口２４を構成する端縁２１０、２２０は、それぞれ幅方向Wに沿って直線状に伸びており、且、端縁２１０、２２０は互いに間隔Ｄ１を隔てて平行している点に特徴があり、それ以外は、図１乃至図２０を参照して説明した尿取り袋１と同じ構成、又は、図２１、図２２を参照して説明した尿取り袋１と同じ構成を有することが可能である。従って、図２３に示した実施形態によっても、図１乃至図２２を参照して説明した尿取り袋の利点を全て有しうることは明白である。
【０１１０】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【０１１１】
【図１】本発明の一実施形態に係る雄ペット用尿取り袋の斜視図である。
【図２】図１に示した尿取り袋の展開図である。
【図３】図１に示した雄ペット用尿取り袋の平面図である。
【図４】図３の４−４線に沿った断面図である。
【図５】図３の５−５線に沿った断面図である。
【図６】本発明の一実施形態に係る雄ペット用尿取り袋の使用方法を示す平面図である。
【図７】図６に示した工程のあとの状態を示す平面図である。
【図８】図７に示した工程のあとの状態を示す平面図である。
【図９】図８に示した工程のあとの状態を示す平面図である。
【図１０】図９に示した尿取り袋の正面図である。
【図１１】本発明の一実施形態に係る尿取り具の平面図である。
【図１２】図１１に示した尿取り具の分解構造を示す斜視図である。
【図１３】図１１に示した尿取り具の使用方法を示す斜視図である。
【図１４】本発明の一実施形態に係る尿取り具の使用状態を示す図である。
【図１５】図１４に示した尿取り具の一部を拡大して示す部分断面図である。
【図１６】図１４に示した尿取り具の一部を拡大して示す部分平面図である。
【図１７】図１４に示した尿取り具の一部を拡大して示す平面図である。
【図１８】本発明のもう一つの実施形態に係る尿取り袋の平面図である。
【図１９】図１８に示した尿取り袋の展開図である。
【図２０】本発明のもう一つの実施形態に係る尿取り具の平面図である。
【図２１】本発明の更にもう一つの実施形態に係る尿取り袋の斜視図である。
【図２２】本発明の更にもう一つの実施形態に係る尿取り袋の部分断面である。
【図２３】本発明の更にもう一つの実施形態に係る尿取り袋の部分断面である。
【符号の説明】
【０１１２】
１              雄ペット用尿取り袋
１００          内部空間
１０、２０      第１、第２のシート部
２１、２２      第１、第２の面領域
２１０、２２０  端縁
２４            泌尿器挿入口
２５、２６      第１、第２の貼り付け部
３              支持体
４              雄ペット
４０            泌尿器
Ｓ１〜Ｓ３      重なり領域
【図１】
2009254278.tif 000003
【図２】
2009254278.tif 000004
【図３】
2009254278.tif 000005
【図４】
2009254278.tif 000006
【図５】
2009254278.tif 000007
【図６】
2009254278.tif 000008
【図７】
2009254278.tif 000009
【図８】
2009254278.tif 000010
【図９】
2009254278.tif 000011
【図１０】
2009254278.tif 000012
【図１１】
2009254278.tif 000013
【図１２】
2009254278.tif 000014
【図１３】
2009254278.tif 000015
【図１４】
2009254278.tif 000016
【図１５】
2009254278.tif 000017
【図１６】
2009254278.tif 000018
【図１７】
2009254278.tif 000019
【図１８】
2009254278.tif 000020
【図１９】
2009254278.tif 000021
【図２０】
2009254278.tif 000022
【図２１】
2009254278.tif 000023
【図２２】
2009254278.tif 000024
【図２３】
2009254278.tif 000025